(57)【特許請求の範囲】
【請求項１】
上下に配置される上段ベッドおよび下段ベッドを有する２段ベッドであって、
上段ベッドの側方部材に設けられ、水平に延びるバーと、
左右一対の縦フレームを有し、上段ベッドの昇降に使用する梯子と、
梯子の各縦フレームの上部に設けられ、梯子の上部を上記バーに連結するための連結部材であって、上記梯子の長さ方向に沿った長孔を有し、当該長孔に上記バーが通されている連結部材とを含み、
上記側方部材が、高さ位置を複数段に変更可能に設けられており、
各連結部材の上記長孔における梯子長さ方向の長さは、当該梯子を、鉛直姿勢、および上記側方部材の上記複数段の高さ位置のそれぞれで梯子を立て掛けるための各傾斜姿勢の間で姿勢変更可能な長さに設定されていることを特徴とする２段ベッド。
【請求項２】
上記梯子は、左右の縦フレーム間に等間隔で配列された多数のステップをさらに有し、
上記連結部材は、上記長孔を形成するリング状金物を含むことを特徴とする請求項１記載の２段ベッド。
【請求項３】
上記梯子の各ステップは、側面視が凸湾曲の上面を有していることを特徴とする請求項２記載の２段ベッド。
【発明の詳細な説明】
【技術分野】
【０００１】
この発明は、上下に配置される上段ベッドおよび下部ベッドを備えた２段ベッドに関する。
【背景技術】
【０００２】
従来から、部屋のスペースを有効活用するため、たとえば子供部屋で用いられる、上段ベッドおよび下段ベッドを備えた２段ベッドが知られている（たとえば、特許文献１参照）。
上段のベッドへの昇降には梯子が用いられる。梯子は、上段ベッドに対して斜めに立て掛けた状態で使用される。梯子は使わないときは上段ベッドから取り外し、たとえば部屋の壁面等に立て掛けて収納される。
【特許文献１】特開２００５−１８５６８７号公報
【発明の開示】
【発明が解決しようとする課題】
【０００３】
不使用時に梯子を部屋の壁面に斜めに立て掛けておくと、部屋内での行き来の際に邪魔となってしまい、また、子供がこの梯子に躓いてしまうおそれがある。さらに、この梯子を立て掛けて収納することで、その分のスペースが必要となってしまう。このため、梯子は、上段ベッドに取り外し可能に取り付けるのではなく、上段ベッドに連結されていることが好ましい。
【０００４】
しかしながら、梯子を上段ベッドに連結すると、梯子の不使用時に梯子を上段ベッドに対して斜めに立て掛けておかなければならず、部屋内での行き来の際に邪魔になってしまう。
そこで、この発明の目的は、梯子が連結されており、不使用時において梯子が邪魔になることがない２段ベッドを提供することである。
【課題を解決するための手段】
【０００５】
上記の目的を達成するための請求項１記載の発明は、上下に配置される上段ベッド（３）および下段ベッド（２）を有する２段ベッド（１）であって、上段ベッドの側方部材（１７）に設けられ、水平に延びるバー（２０）と、左右一対の縦フレームを有し、上段ベッドの昇降に使用する梯子（４）と、梯子の各縦フレームの上部（２１ａ、２２ａ）に設けられ、梯子の上部を上記バーに連結するための連結部材（５）であって、上記梯子の長さ方向に沿った長孔（２５）を有し、当該長孔に上記バーが通されている連結部材とを含み、上記側方部材が、高さ位置を複数段に変更可能に設けられており、各連結部材の上記長孔における梯子長さ方向の長さは、当該梯子を、鉛直姿勢、および上記側方部材の上記複数段の高さ位置のそれぞれで梯子を立て掛けるための各傾斜姿勢の間で姿勢変更可能な長さに設定されていることを特徴とする２段ベッドである。
【０００６】
なお、括弧内の英数字は、後述の実施形態における対応構成要素等を表す。以下、この項において同じ。
請求項１記載の発明によれば、梯子を使用するときは上段ベッドに斜めに立て掛けた姿勢とできるが、梯子を使用しないときは、バーを中心として梯子を回動させて梯子の姿勢を他の姿勢に変更することができる。これにより、梯子を上段ベッドの側方部材に沿う姿勢とすることが可能であり、かかる場合、梯子の下端部が邪魔になることがない。
また、上段ベッドの側方部材が、高さ位置を複数段に変更可能に設けられている。側方部材の高さが変化すると、これに伴ってバーの高さも変化する。このバーの高さ変化に梯子が追従して回動するので、側方部材の高さが変わっても、この梯子を用いて上段ベッドへの昇降を行うことができる。
【０００７】
請求項２記載の発明は、上記梯子は、左右の縦フレーム間に等間隔で配列された多数のステップ（２３）をさらに有し、上記連結部材は、上記長孔を形成するリング状金物（５）を含むことを特徴とする請求項１記載の２段ベッドである。
請求項２記載の発明によれば、梯子を姿勢変更可能に上部ベッドに連結する構成を簡単な構造で実現できるとともに、梯子の上段ベッドへの連結が強度良く達成される。
【０００８】
請求項３記載の発明は、上記梯子の各ステップは、側面視が凸湾曲の上面（２４）を有していることを特徴とする請求項２記載の２段ベッドである。
請求項３記載の発明によれば、側面視が凸湾曲であるために、梯子の姿勢を少し変化させても、上段ベッドへの昇降を行うことが可能である。したがって、梯子を上段ベッドの側方部材に沿う姿勢とした場合でも、上段ベッドへの移動を良好に行うことができる。
【発明を実施するための最良の形態】
【０００９】
以下では、この発明の実施の形態を、添付図面を参照して詳細に説明する。
図１は、この発明の一実施形態に係る２段ベッドの全体構成を示す斜視図である。２段ベッド１は、上下に配置される上段ベッド３および下段ベッド２を備えている。上段ベッド３には、上段ベッド３への昇降のために使用される梯子４が連結されている。
下段ベッド２は、水平方向に配置された敷板６と、敷板６の左側に立設された左ベッド脚板７と、敷板６の右側に立設された右ベッド脚板８と、左ベッド脚板７および右ベッド脚板８の前側を連結する前側桟板９と、左ベッド脚板７および右ベッド脚板８の後ろ側を連結する後側桟板１０とを備えている。左ベッド脚板７および右ベッド脚板８からは、それぞれ、前後一対の脚１１、１２が延びている。
【００１０】
一方、上段ベッド３は、水平方向に配置された敷板１４と、敷板１４の左側に立設された左ベッド脚板１５と、敷板１４の右側に立設された右ベッド脚板１６と、左ベッド脚板１５および右ベッド脚板１６の前側を連結する前側桟板１７、左ベッド脚板１５および右ベッド脚板１６の後ろ側を連結する後側桟板１８とを備えている。左ベッド脚板１５および右ベッド脚板１６からは、それぞれ、前後一対の脚２５、２６が延びている。そして、各ベッド脚板１５、１６の脚２５、２６は、下段ベッド２の左右のベッド脚板７、８によって受け止められて支持されている。
【００１１】
この実施形態では、上段ベッド３のうち、敷板１４の高さ位置を変えることができるようになっている。そして、敷板１４にともなって、前側桟板１７および後側桟板１８の高さ位置も変更される。敷板１４、前側桟板１７および後側桟板１８は、例えば３段階の高さ調節を行うことが可能である。
上段ベッド３の前側桟板１７には、前側桟板１７の前側を左右方向（矢印２９で示す方向）に水平に延びるバー２０が配設されている。このバー２０に、梯子４の上端部２１ａ、２２ａが取り付けられている。これによって、梯子４が上段ベッド３に連結されている。梯子４は、バー２０に取り付けられた状態で、上段ベッド３の左端３ａから右端３ｂまでスライド変位することができるようになっている。
【００１２】
バー２０は、上段ベッド３の左端３ａから右端３ｂまで架け渡されていて、前側桟板１７から突出する半円柱形状の支持部１９によって前側桟板１７に支持されている。バー２０として、たとえば外郭円筒形状のスチールパイプが用いられている。
梯子４は、互いに平行に伸びる左縦フレーム２１および右縦フレーム２２と、各縦フレーム２１、２２間に互いに等間隔で平行に配列された多数（この実施形態では６つ）のステップ２３とを備えている。各縦フレーム２１、２２およびステップ２３はたとえば木製である。各縦フレーム２１、２２の上端部２１ａ、２２ａには、梯子４をバー２０に連結するための連結部材としての一対のリング状金物５、５が取り付けられている。
【００１３】
図２は、リング状金物の構成を示す要部断面図である。
上述のように、各リング状金物５は、各縦フレーム２１、２２の上端部２１ａ、２２ａの裏側に取り付けられている。各リング状金物５は互いに等しい構成であるため、右縦フレーム２２に取り付けられるリング状金物５を例にとって説明し、他方のリング状金物５の説明は省略する。リング状金物５は、右縦フレーム２２の幅とほぼ同じ幅を有した、側面視でＣ形状を有する金具であり、開口部が右縦フレーム２２に取り付けられて、リング状を構成している。リング状金物５の内部には、右縦フレーム２２の長さ方向に長い長孔２５が形成されている。この長孔２５にバー２０が挿通されている。長孔２５を有するリング状金物５によって梯子４がバー２０に連結されているので、梯子４を、梯子４の長さ方向にスライドさせつつ、バー２０を中心として回動させることで、梯子４の姿勢を変更することが可能となっている。
【００１４】
リング状金物５は、その上端部が円弧面５Ａとされている。また、リング状金物５は平板部５Ｂを有していて、その平板部５Ｂと縦フレーム２１、２２の裏面との間隔は、上記のバー２０が挿入された状態で少し隙間ができる程度の寸法に設定されている。つまり、バー２０がリング状金物５に取り付けられた状態で、両者の間にはスライド変位することができる程度の間隔の隙間しかない。
【００１５】
これにより、梯子４はこの円弧面５Ａを中心として回動させることも可能である。上述のように、上段ベッド３のうち、敷板１４、前側桟板１７および後側桟板１８の高さ位置を変えることが可能とされているが、バー２０の高さ変化に梯子４が追従して梯子４が回動するため、敷板１４等の高さが異なっても、共通の梯子４を用いて上段ベッド３への昇降を行うことができる。
【００１６】
梯子４の各ステップ２３は、梯子４が上段ベッド３に斜めに立て掛けられた姿勢を基準として、側面視で、上面２４が凸湾曲形状を有している。
図３は、梯子の姿勢を変更する様子を示す側面図である。（ａ）は梯子を上段ベッドに立て掛けた状態、（ｂ）は梯子を上段ベッドの前側桟板に沿う姿勢とした状態を示している。
【００１７】
上段ベッド３への昇降のときは、図３（ａ）に示すように梯子４を上段ベッド３に立て掛けた姿勢とする。この姿勢では、梯子４の縦フレーム２１、２２の下端部２１Ｂ、２２Ｂは、２段ベッド１の前面から距離Ｗ１離れた位置にある。
梯子４を使用しないときは、梯子４をスライドさせて、上段ベッド３の左端３ａまたは右端３ｂに寄せる。この状態から、梯子４を、梯子４の長さ方向（矢印３０で示す方向）に沿ってスライド変位させつつ、梯子４の下端部２１Ｂ、２２Ｂをバー２０を中心として矢印３１の方向に回動させる。これにより、図３（ｂ）に示すように、梯子４を上段ベッド３の前側桟板１７に沿う姿勢、すなわち、梯子４を鉛直方向に延びる姿勢とすることができる。
【００１８】
そして、この図３（ｂ）の姿勢では、梯子４の縦フレーム２１、２２の下端部２１Ｂ、２２Ｂは、２段ベッド１の前面から距離Ｗ２離れた位置となる。したがって、梯子４の下端部２１Ｂ、２２Ｂが邪魔となることがない。
一方、上述のようにバー２０とリング状金物５との隙間が十分でないので、梯子４を鉛直方向に延びる姿勢としたとき、梯子４は姿勢のまま維持される。また、梯子４のステップ板２３の上面２４が、側面視で凸湾曲であるために、梯子４を鉛直方向に立てた状態としても、ステップ板２３の上面２４を用いて昇降を行うことができる。これらにより、図３（ｂ）に示すように梯子４を鉛直方向に立てた姿勢でも、上段ベッド３への昇降に使用することが可能である。
【００１９】
この実施形態の説明は、以上の通りであるが、この発明は、上述の実施形態に限られない。
たとえば、上述の説明では、リング状金物５は側面視でＣ状の金具であるとして説明したが、リング状金物５は側面視で楕円形状を有したものであってもよい。
また、梯子４は上段ベッド３にスライド変位可能とされているが、上段ベッド３に対してスライド変位される構成ではなく、梯子４の不使用時には、使用時と同じ位置で梯子４の姿勢だけを変更するものであってもよい。
【００２０】
その他、特許請求の範囲に記載された事項の範囲で種々の設計変更を施すことが可能である。
【図面の簡単な説明】
【００２１】
【図１】この発明の一実施形態に係る２段ベッドの全体構成を示す斜視図である。
【図２】リング状金物の構成を示す要部断面図である。
【図３】梯子の姿勢を変更する様子を示す側面図である。（ａ）は梯子を上段ベッドに立て掛けた状態、（ｂ）は梯子を上段ベッドの前側桟板に沿う姿勢とした状態を示している。
【符号の説明】
【００２２】
１  ２段ベッド
２  下段ベッド
３  上段ベッド
４  梯子
５  リング状金物（連結部材）
１７  前側桟板（側方部材）
２０  バー
２１  左縦フレーム
２１ａ、２２ａ  上端部（上部）
２２  右縦フレーム
２３  ステップ
２４  上面
２５  長孔
【図２】
0004847217.tif 000002
【図３】
0004847217.tif 000003
【図１】
0004847217.tif 000004